(57)【要約】【課題】薄型でコンパクトな駆動装置を用いて情報を表示できる薄型で軽量な情報表示器および薄型でコンパクトな駆動装置と薄型で軽量な情報表示器で構成した情報表示システムを提供する。【解決手段】情報表示器は、２枚の基板１１，１２の間において電界で駆動する表示媒体１６と、２枚の基板間に配置された支持部１４と、少なくとも支持部１４に対応する部分に形成された有色層１５と、を備える。支持部１４が、透明で、有色層１５が、２枚の基板のうち情報表示領域が透明な観察基板と対向して配置される非観察基板側に配置されている。【選択図】図７
2012113253.tif 000002
【特許請求の範囲】
【請求項１】
少なくとも一方の情報表示領域が透明な２枚の基板と、該２枚の基板間に配置され電界で駆動する表示媒体と、該２枚の基板間に配置され、該２枚の基板間距離を確保する支持部と、を備え、
前記２枚の基板は、面方向に導通する導電膜を有する第１基板と、該第１基板と対向し、かつ面方向に導通しない第２基板と、であり、
画素電極が配置されたＴＦＴ基板を備える駆動装置を用いて前記第１基板が有する前記導電膜と前記画素電極との間に形成させた電界によって、前記表示媒体が駆動されて前記情報表示領域に情報を表示し、該情報を前記２枚の基板のうち一方の観察基板側から視認可能に構成する情報表示器であって、
少なくとも前記情報表示領域にある前記支持部に対応する部分に配置された有色層を備え、
前記情報表示領域にある前記支持部が、透明で、
前記有色層が、前記２枚の基板のうち前記観察基板と対向して配置される非観察基板側に配置されている、情報表示器。
【請求項２】
前記非観察基板の前記情報表示領域は、透明であって、
前記有色層は、前記支持部に対応する前記非観察基板の外側に配置されている、請求項１に記載の情報表示器。
【請求項３】
前記有色層は、前記非観察基板側の少なくとも前記情報表示領域に対応する全面に配置されている、請求項１に記載の情報表示器。
【請求項４】
前記有色層は、前記２枚の基板のうち非観察基板と前記透明な支持部との間に配置され、かつ該非観察基板と該透明な支持部とを接着する接着層である、請求項１に記載の情報表示器。
【請求項５】
前記観察基板の外側には、光を散乱する散乱層が形成されている、請求項１から請求項４のいずれかに記載の情報表示器。
【請求項６】
前記散乱層は、該散乱層の表面に凹凸を有することにより、光を散乱する請求項５に記載の情報表示器。
【請求項７】
前記散乱層は、該散乱層の屈折率と異なる屈折率を持つ粒子を該散乱層内部に含むことにより、光を散乱する請求項５に記載の情報表示器。
【請求項８】
前記第２基板の外側には、表面抵抗が１．０×１０５Ω／ｓｑ〜１．０×１０１２Ω／ｓｑである膜が形成されている、請求項１から請求項７のいずれかに記載の情報表示器。
【請求項９】
前記第１基板は、絶縁体材料基板と、該絶縁体材料基板の内側に配置された導電膜と、を含んでおり、
前記導電膜は、少なくとも前記情報表示領域に対応する部分に形成されている、請求項１から請求項８のいずれかに記載の情報表示器。
【請求項１０】
前記第１基板は、導電性材料基板と、該導電性材料基板の外側に配置された絶縁膜と、を含んで構成されている、請求項１から請求項８のいずれかに記載の情報表示器。
【請求項１１】
少なくとも一方の情報表示領域が透明な２枚の基板と、該２枚の基板間に配置され電界で駆動する表示媒体と、該２枚の基板間に配置され、前記２枚の基板間距離を確保する支持部と、を備える少なくとも１枚の情報表示器と、画素電極が配置されたＴＦＴ基板を備える駆動装置と、で構成する情報表示システムであって、
前記情報表示器の２枚の基板は、面方向に導通する第１基板と、該第１基板と対向し、かつ面方向に導通しない第２基板と、であり、
前記情報表示器の前記第２基板側の面と前記駆動装置のＴＦＴ基板の面とを対面対向させた状態で、前記第１基板と前記画素電極との間に電界を形成することによって、前記表示媒体を駆動させて前記情報表示領域に情報を表示し、該情報を前記情報表示器の２枚の基板のうち一方の観察基板側から視認可能に構成しており、
前記情報表示器は、前記情報表示領域にある前記支持部が、透明で、
前記情報表示器は、少なくとも前記情報表示領域にある前記支持部に対応する部分に配置された有色層を備え、
前記有色層が、前記２枚の基板のうち前記観察基板と対向して配置される非観察基板側に配置されている、情報表示システム。
【請求項１２】
前記駆動装置の前記画素電極の表面には、表面抵抗率１．０×１０５Ω／ｓｑ以上である膜が形成されている、請求項１１に記載の情報表示システム。
【発明の詳細な説明】
【技術分野】
【０００１】
本発明は、少なくとも一方の情報表示画面領域が透明な２枚の基板間に、電界を付与することで駆動する表示媒体を配置した情報表示器及び該情報表示器に情報を表示する情報表示システムに関する。
【背景技術】
【０００２】
従来、少なくとも観察側となる基板が透明な２枚の基板を対向させて形成した空間に、電界を付与することで駆動できる表示媒体を封入した構成の情報表示パネルが情報表示器として知られている。この情報表示器は、２枚の基板間に形成した電界で表示媒体を駆動させて情報を表示するものであった。
【０００３】
上述した構成の情報表示器に対して情報を表示するために、電界で駆動できる表示媒体を挟んだパネル構造の情報表示器を大型の駆動装置にセットして、駆動装置から付与した電界で表示媒体を駆動させて画像を表示させる技術が知られている（例えば、特許文献１参照）。
【先行技術文献】
【特許文献】
【０００４】
【特許文献１】特開２００１−３４１９９号公報
【発明の概要】
【発明が解決しようとする課題】
【０００５】
しかし、特許文献１に記載の例では、情報表示器に情報を表示させる場合には大型のプリンター型駆動装置が必要である。そのような大型のプリンター型駆動装置は設置型となるため、表示内容を書き換えるときには設置された大型のプリンター駆動装置まで情報表示器を持っていかなければならない問題があった。
【０００６】
本発明は、このような状況に鑑みてなされたものであり、薄型でコンパクトな駆動装置を用いて情報を表示できる情報表示器、及び薄型でコンパクトな駆動装置と薄型で軽量な情報表示器とで構成される情報表示システムを提供することを例示的課題とする。
【課題を解決するための手段】
【０００７】
上記の課題を解決するために、本発明の例示的な側面としての情報表示器は、少なくとも一方の情報表示領域が透明な２枚の基板と、該２枚の基板間に配置され電界で駆動する表示媒体（表示媒体１６）と、該２枚の基板間に配置され、少なくとも前記２枚の基板間距離を確保する支持部（隔壁１４）と、を備え、前記２枚の基板は、面方向に導通する導電膜を有する第１基板（第１基板１１）と、該第１基板と対向し、かつ面方向に導通しない第２基板（第２基板１２）と、であって、画素電極が配置されたＴＦＴ基板を備える駆動装置を用いて前記第１基板と前記画素電極との間に形成させた電界によって、前記表示媒体が駆動されて前記情報表示領域に情報を表示し、該情報を前記２枚の基板のうち一方の観察基板側から視認可能に構成する情報表示器である。情報表示器は、少なくとも前記情報表示領域にある前記支持部に対応する部分に配置された有色層（有色層１５）を備え、前記情報表示領域にある前記支持部が、透明で、前記有色層が、前記２枚の基板のうち前記観察基板と対向して配置される非観察基板側に配置されている。
【０００８】
本発明に係る情報表示器によれば、第１基板と駆動装置の画素電極との間に形成された電界によって表示媒体を駆動させて所望の情報を表示することができる。また、情報表示器は、駆動装置側の画素電極との間で電界を形成するように構成されており、情報表示器自体が一対の電極を備えないため、情報表示器を薄型で軽量にすることができる。したがって、携帯性に優れた情報表示器や壁面等へ設置しても前面に出っ張らない設置性に優れた情報表示器が得られる。
【０００９】
更に、情報表示器の非観察基板側に有色層が配置されており、観察者は、観察基板側から透明な支持部を介して有色層を視認することができる。したがって、表示媒体による表示情報とは異なる情報等を透明な支持部を配置した部分に表示することが可能となる。例えば、表示媒体による表示情報を消去した（例えば、表示媒体の表示色を白一色にした）際に、有色層によって表示した文字や絵柄等を視認させるように構成することができる。有色層の配置やその有色層の形状によって表示した情報を見せるようにすることができる。更に、有色層を白一色や黒一色とするとともに透明な支持部を隔壁としてマトリックス配置することにより、ホワイトマトリックス効果やブラックマトリックス効果を得ることが可能となる。これによって、支持部、言い換えれば隔壁で囲まれた領域内毎のコントラストと、支持部（隔壁）で形成される境界部分のコントラストとで示されるコントラスト比が大きくなり、表示した情報（画像）の視認性を向上させることができる。
【００１０】
また、本発明に係る他の例示的側面としての情報表示システムは、少なくとも一方の情報表示領域が透明な２枚の基板と、該２枚の基板間に配置され電界で駆動する表示媒体と、該２枚の基板間に配置され、前記２枚の基板間距離を確保する支持部（隔壁１４）と、を備える少なくとも１枚の情報表示器と、画素電極（画素電極３４）が配置されたＴＦＴ基板（ＴＦＴ基板３１）を有する駆動装置（駆動装置３０）と、を備え、前記２枚の基板は、面方向に導通する第１基板と、該第１基板と対向し、かつ面方向に導通しない第２基板と、であり、前記情報表示器の前記第２基板側の面と前記駆動装置のＴＦＴ基板側の面とを対面対向させた状態で、前記第１基板の導電膜と前記画素電極との間に電界を形成することによって、前記表示媒体を駆動させて前記情報表示領域に情報を表示し、該情報を前記基板のうち一方の観察基板側から視認可能に構成している。前記情報表示器は、前記情報表示領域にある前記支持部が、透明で、前記情報表示器は、少なくとも前記情報表示領域にある前記支持部に対応する部分に配置された有色層を備えており、前記有色層が、前記２枚の基板のうち前観察基板と対向して配置される非観察基板側に配置されている。
【発明の効果】
【００１１】
このように構成された情報表示器によれば、第１基板と駆動装置の画素電極との間に形成された電界によって表示媒体を駆動させて所望の情報を表示することができる。情報表示器において、画素形状に対応してパターニングする必要がある画素電極を備えないため、情報表示器を容易に得ることができる。また、情報表示器は、薄型で軽量にすることができる。更に、情報表示システムは、薄型でコンパクトな駆動装置と薄型で軽量な情報表示器とによって構成することができる。また、観察者は、観察基板側から透明な支持部を介して有色層を視認することが可能となる。すなわち、表示媒体による情報表示とは異なる不揮発情報を支持部部分に表示させておいたり、ホワイトマトリックス効果やブラックマトリックス効果を得たりすることが可能となる。
【図面の簡単な説明】
【００１２】
【図１】情報表示システムを構成する情報表示器の概略構成図である。
【図２】情報表示システムを構成する駆動装置の概略構成図である。
【図３】情報表示器と駆動装置との接続状態を示した情報表示システムの概略構成図である。
【図４】情報表示器の要部断面図である。
【図５】情報表示器の観察基板側から見た様子を示す要部平面図である。
【図６】駆動装置の概略構成図である。（ａ）は平面図であり、（ｂ）は、要部断面図である。
【図７】情報表示器と駆動装置の要部断面図である。
【図８】情報表示システムの表示原理の説明図である。
【図９】変形例１に係る情報表示器１Ｂの要部断面図である。
【図１０】変形例２に係る情報表示器１Ｃの要部断面図である。
【図１１】変形例３に係る情報表示器１Ｄの要部断面図である。
【図１２】変形例４に係る情報表示器１Ｅの要部断面図である。
【図１３】変形例５に係る情報表示器１Ｆを示した図である。（ａ）は要部断面図であり、（ｂ）は観察基板側から見た様子を示す要部平面図である。
【図１４】変形例５に係る情報表示器１Ｇを示した図である。（ａ）は要部断面図であり、（ｂ）は観察基板側から見た様子を示す要部平面図である。
【図１５】変形例７に係る情報表示器１Ｈの要部平面図である。
【図１６】変形例８に係る情報表示システムの表示原理を説明した情報表示器１Ｊの要部断面図である。
【図１７】変形例９に係る情報表示システムの表示原理を説明した情報表示器１Ｋの要部断面図である。
【発明を実施するための形態】
【００１３】
以下、本発明に係る情報表示器及び情報表示システムの一例について、図面を参照しながら説明する。具体的には、（１）情報表示システムの概略構成、（２）情報表示器の概略構成、（３）駆動装置の概略構成、（４）情報表示システムの情報表示原理、（５）変形例、（６）その他実施形態、（７）作用・効果について説明する。
【００１４】
以下の図面の記載において、同一または類似の部分には、同一又は類似の符号を付している。図面は模式的なのものであり、各寸法の比率などは現実のものとは異なることを留意すべきである。従って、具体的な寸法などは以下の説明を参酌して判断すべきものである。図面相互間においても互いの寸法の関係や比率が異なる部分が含まれていることは勿論である。
【００１５】
（１）情報表示システムの概略構成
まず、図１から図３に基づいて情報表示システムの概略構成について説明する。図１は情報表示器１Ａ（１）を示した図であり、図２は、駆動装置３０を示した図である。また、図３は、駆動装置３０に情報表示器１Ａを載置した状態を示した図である。
【００１６】
情報表示システムは、複数の情報表示器１Ａ（１）と、１台の駆動装置３０と、を備える。情報表示器１Ａは、面方向に導通する導電膜１７を有する第１基板１１と、絶縁体材料基板である第２基板１２と、第１基板１１と第２基板１２との間に配置された表示媒体層１３と、駆動装置３０側と電気的に接続される接続端子部１９と、を備える。表示媒体層１３には、第１基板１１と第２基板１２との間に印加された電界に応じて駆動することで情報を表示する表示媒体１６（図４参照）が封入されている。
【００１７】
接続端子部１９は、導電膜１７と電気的に接続されている。接続端子部１９は、情報表示器１Ａの駆動装置３０と対向する側に設けられている。図３に示す情報表示器１Ａが駆動装置３０に載置された状態において、接続端子部１９は、駆動装置３０の駆動回路３３側と電気的に接続される。導電膜１７は、接続端子部１９を介して駆動装置３０の接続端子部３５と電気的に接続されるように構成されている。駆動装置３０の接続端子部３５は、画素電極３４を駆動する駆動回路３３と電気的に接続されている。
【００１８】
なお、駆動装置３０の接続端子部３５は、情報表示器１Ａの接続端子部１９と接続可能な位置に設けられていればよく、図２（ａ）に示すように駆動回路３３の上面に設けられていてもよいし、図２（ｂ）に示すように駆動回路３３の側面に設けられていてもよい。
【００１９】
情報の書き換えや表示を行う際には、図３に示すように、情報表示器１Ａの第２基板１２側の面を、駆動装置３０のＴＦＴ基板の画素電極３４に対面対向配置させる。このように配置することにより、情報表示器１Ａの接続端子部１９と駆動装置３０の接続端子部３５とが電気的に接続される。そして、駆動回路３３を作動させることにより、第１基板１１と第２基板１２の間に形成された電界によって表示媒体１６が駆動し、情報表示領域に情報を表示したり、情報表示領域にすでに表示されている情報を消去したりすることができる。
【００２０】
（２）情報表示器１Ａの概略構成
本実施形態に係る情報表示器１Ａの構成について、図１、図３及び図４を参照しながら説明する。図４は、本発明の実施形態に係る情報表示器１Ａの拡大断面図である。具体的には、情報表示器の基板（第１基板１１又は第２基板１２）に対して直交する断面における断面図である。
【００２１】
情報表示器１Ａは、情報が表示される情報表示領域を有する。情報表示領域は、第１基板１１側からの平面視において、表示媒体１６が配置されている領域である。情報表示器１Ａは、第１基板１１と、第２基板１２と、表示媒体層１３と、情報表示領域を区画するとともに２枚の基板間距離を確保する支持部としての隔壁１４と、接着層２０と、有色層１５と、表示媒体１６と、を有する。
【００２２】
（２−１）情報表示器の基板の構成
第１基板１１は、導電膜１７を有しており、面方向に導通するように構成されている。第２基板１２は、第１基板１１と対向して配置されている。図４に示す情報表示器１Ａで、第１基板１１および第２基板１２は、少なくとも情報表示領域が透明な基板である。第２基板１２は、絶縁体材料基板であり、面方向に導通しないように構成されている。第１基板１１と第２基板１２との間には、電界によって駆動する表示媒体１６が封入された表示媒体層１３が設けられている。
【００２３】
図４に示す実施の形態では、第１基板１１が観察基板である。具体的には、第１基板１１は、少なくとも情報表示領域が透明な基板であり、観察者は、第１基板１１側から観察することによって、第１基板１１と第２基板１２の間の表示媒体１６によって表示された情報を視認できる。第１基板１１は、少なくとも情報表示領域においては、可視光の透過率が高く、かつ耐熱性の良いものによって形成されている。一方、第２基板１２は、非観察基板となる。図４に示す情報表示器１Ａで、第２基板１２は、少なくとも情報表示領域が透明な基板である。なお、本発明における透明とは、可視光を透過させるものであればよく、半透明および有色も含む概念である。具体的には、可視光の透過率が５０％以上あればよい。
【００２４】
なお、図４に示す実施の形態１に係る情報表示器１Ａは、第１基板１１を観察基板として、第２基板１２を非観察基板としているが、第２基板１２を観察基板として、第１基板１１を非観察基板とする形態にしてもよい。また、第１基板１１側から観察する場合と、第２基板１２側から観察する場合とでは、丁度、ネガ・ポジの関係となるため、観察基板にあわせて表示媒体の駆動を行う。なお、第１基板１１を観察基板とした構成では、情報表示器１を駆動装置３０に取り付けた状態で、表示媒体の駆動を行って書き換えた情報をそのままの状態で見ることができる。
【００２５】
導電膜１７は、第１基板１１の全面にベタ状に形成されており、電界形成用の電極として機能する。このようにベタ状の導電膜１７によって構成することにより、パターニングが不要であり、また駆動用ＩＣを駆動装置３０側に搭載して情報表示器側に搭載しない構成とすることで、極めて安価な情報表示器を作製することができる。また、導電膜１７の１点で電気的な接続を実行すれば、第１基板１１の情報表示領域全面と導通がとれるため、駆動装置３０側と情報表示器１側との導通が容易である。
【００２６】
導電膜１７は、ベタ状とするほかにもストライプ状にしたり、網目状にしたり、ドット状に形成したりしたものを電気的に連続して接続することができる。第１基板１１を観察基板としない場合には、第１基板１１全体を導電性材料として構成することができる。なお、この構成においては、第１基板１１の外側表面に絶縁膜を配置して感電や漏電を防止することが望ましい。
【００２７】
本発明では、情報表示器１Ａの導電膜１７と、後述する駆動装置３０の画素電極３４とが対向する電極間に形成された電界によって、表示媒体層１３に配置した表示媒体１６を情報表示器１Ａの２枚の基板間で駆動させる方式をとるため、対向電極の一方となる第１基板１１の導電膜１７は面方向に導通して共通電極として機能させる必要がある。一方、対向電極対の間に入り込むこととなる第２基板１２は、面方向に導通しないようにして、対向電極間に発生させた電界をシールドしてしまうことがないようにする必要がある。
【００２８】
第２基板１２は、例えば、基板全体を絶縁体で構成したり、絶縁体材料で構成した基板表面に複数のドット状電極をそれぞれが電気的に接続されないように独立して設けて構成したりして、面方向に導通させない構造とすることができる。更に、第２基板１２は、面方向に導通しない構成であればよく、その表面に導電膜が部分的に設けられていても、その導電膜が互いに電気的に接続され連続した構成となっていなければ面方向に導通しない構成とすることができる。このような構成によっても、電界をシールドすることがないため、情報の書き換え、言い換えると表示媒体の駆動の妨げとならない。
【００２９】
第１基板１１と第２基板１２との間隔は、表示媒体１６が駆動できて、表示コントラストを維持できればよく、２μｍ〜５００μｍ、好ましくは５μｍ〜２００μｍに、表示媒体の種類に合わせて透明な支持体１４（透明な隔壁１４）の高さによって調整される。
【００３０】
帯電性粒子を含んだ粒子群を表示媒体として、気体中空間（真空中を含む）で駆動させる方式とする場合には、第１基板１１と第２基板１２との間隔は１０μｍ〜２００μｍ、好ましくは１０μｍ〜１００μｍの範囲で調整される。さらに、この場合に、基板間の気体中空間（真空中を含む）における表示媒体の体積占有率は５〜７０％が好ましく、さらに好ましくは５〜６０％である。７０％を超える場合には表示媒体としての粒子の駆動に支障をきたし、５％未満の場合にはコントラストが不明確となり易い。
【００３１】
第１基板１１と第２基板１２の間における外端部近傍には、シール部材１０が設けられている（図４参照）。シール部材１０によって表示媒体層１３の内部に外部から湿分が浸入しないように構成されている。
【００３２】
第１基板１１および第２基板１２の厚みは、２５μｍ〜２０００μｍが好ましく、さらに２５μｍ〜１０００μｍが好適である。なお、基板１１、１２の厚みが薄すぎると、情報表示器１の強度や基板間の間隔均一性が保ちにくくなったり、情報表示器１の作製時のハンドリングが容易でなくなったりする不都合があり、２０００μｍよりも厚いと、薄型の情報表示器１とする場合に不都合がある。
【００３３】
また、第２基板１２の厚さはできるだけ薄い方が好ましい。例えば、第２基板１２の厚さは、２５μｍ〜１２５μｍが好ましく、さらに２５μｍ〜１００μｍが好適である。第２基板の厚さを２５μｍ〜１２５μｍの厚さに構成することで、駆動装置３０側の画素電極３４と導電膜１７との間に電圧を印加して発生させる電界を、表示媒体１６全体に効果的に与えることができる。具体的には、情報の書き換え等を行う際には、導電膜１７と画素電極３４との間に第２基板１２が配置された状態で表示媒体１６の駆動がなされる。したがって、第２基板１２の厚みが１２５μｍを超えると、電極対間に形成される電界で表示媒体１６が駆動しにくくなる不都合があり、２５μｍより薄いと、情報表示器１の強度や基板間の間隔均一性が保ちにくくなったり、情報表示器１の作製時のハンドリングが容易でなくなったりする不都合がある。
【００３４】
第１基板１１及び第２基板１２に用いられる材料として、例えば、ポリエチレンテレフタレート（ＰＥＴ）、ポリカーボネート（ＰＣ）、ポリエチレンナフタレート（ＰＥＮ）、ポリメチルメタクリレート（ＰＭＭＡ）、ポリエーテルサルフォン（ＰＥＳ）などの樹脂やガラスなどの透明材料製シートや、ガラス繊維で補強したエポキシ樹脂などの不透明材料製シートを絶縁体基板として用いることができる。また、情報表示器１の基板のうち導電性基板としては、導電性金属シートやシート基材の表面に金、銀、銅、アルミニウム、ニッケル、クロム等の導電性金属膜をコートした導電性シートなどを用いることができる。
【００３５】
導電膜１７に用いられる材料としては、例えば、酸化インジウム錫（ＩＴＯ）、亜鉛ドープ酸化インジウム（ＩＺＯ）、アルミニウムドープ酸化亜鉛（ＡＺＯ）、酸化インジウム、導電性酸化錫、アンチモン鉛酸化物（ＡＴＯ）、導電性酸化亜鉛等の導電金属酸化物類、ポリアニリン、ポリピロール、ポリチオフェン、例えば、ＰＥＤＯＴ−ＰＳＳ（Poly(3,4-ethylenedioxythiophene)／Poly(Styrene sulfonate)）等の導電性高分子が挙げられる。更に、金、銀、銅、アルミニウム、ニッケル、クロムなどの金属や、これらの金属を主成分とする合金を用いることができる。
【００３６】
特に、第１基板１１を観察基板とする際には、透明導電膜として好適なＩＴＯ、ＩＺＯ等の金属酸化物系材料やＰＥＤＯＴ−ＰＳＳ等の高分子化合物系材料を用いることが望ましい。ＰＥＤＯＴ−ＰＳＳ等の高分子化合物系材料は、透明性を有するとともに可とう性も有するので情報表示器１をフレキシブルにする場合に好適である。
【００３７】
ＩＴＯ等の金属酸化物系材料は、透明性を有するものの金属材料に比べて可とう性が小さい。ＩＴＯ等の金属酸化物系材料で導電膜を構成する場合には、透明導電膜中での断線防止のため、金属細線と併用することが好ましい。この金属細線の幅は、１μｍ〜１０μｍとすれば表示視認性の妨げとならないので好ましい。情報表示領域外や背面側基板に設ける導電膜は光透過性を考慮する必要がないので電気抵抗が小さく、可とう性にも優れた金属材料が好適に用いられる。また、観察基板の情報表示領域外や背面側基板に設ける導電膜の厚さは電気抵抗および生産性、コストの観点から、０．０１μｍ〜１０μｍに設計される。
【００３８】
導電膜１７の形成方法としては、上記例示の材料をスパッタリング法、真空蒸着法、ＣＶＤ（科学蒸着）法、塗布法等で薄膜状に形成する方法、金属箔（例えば、圧延銅箔など）をラミネートする方法や、導電剤を溶媒や合成樹脂バインダーに混合して塗布して成膜する方法が用いられる。
【００３９】
導電膜１７の厚さは、導電性や光透過性を鑑みて決定され、０．０１μｍ〜１０μｍ、好ましくは、０．０５μｍ〜５μｍの範囲にする。なお、第２基板１２が観察側となる構成においては、導電膜１７の光透過性を考慮しなくてもよい。
【００４０】
（２−２）表示媒体層の構成
粒子を表示媒体とする表示媒体層１３は、第１基板１１、第２基板１２、接着層２０、及び支持部として設けられた隔壁１４によって仕切られ、表示媒体とする粒子を収納するためのセル２７を複数有する。各セル２７には、複数の粒子からなる表示媒体１６が収納されている。表示媒体１６は、負帯電性白色粒子を含んだ粒子群として構成した白色表示媒体１６Ｗと、正帯電性黒色粒子を含んだ粒子群として構成した黒色表示媒体１６Ｂと、である。各表示媒体１６は、帯電性を有しており、電界で、すなわち電気的に駆動（移動）可能である。第２基板１２の外側に配置される駆動装置３０のＴＦＴ基板３１の画素電極３４と、第１基板１１の導電膜１７との間に電圧を印加して発生させた電界により、表示媒体１６を２枚の基板間で駆動させて情報を表示する。
【００４１】
隔壁１４は、第１基板１１と第２基板１２との間に形成されている。隔壁１４は、第１基板１１と第２基板１２との間を一定の間隔で保持する機能と、表示媒体１６が封入された情報表示領域を仕切る機能と、を発揮する。隔壁１４を設けることによって、第１基板１１と第２基板１２とが一定の間隔で保持され、第１基板１１の導電膜１７と画素電極３４との距離を一定に保つことができる。導電膜１７と画素電極３４との距離を一定に保つことにより、導電膜１７と画素電極３４との間に形成される電界を一定にすることが可能となる。また、支持部を隔壁１４として、隔壁１４で囲まれたセル内に、表示媒体とする粒子を収納することによって、駆動した粒子が基板間で基板の面方向にずれて偏在するようになることを抑制できる。
【００４２】
また、隔壁１４を設けることによって、上面及び下面が第１基板１１及び第２基板１２で形成され、側面が隔壁１４で形成されたセル２７が形成される。なお、セル２７には、表示媒体１６の他に、気体（例えば、空気）や絶縁液体が封入されている。なお、セル内の空間は、真空であっても良い。隔壁１４は、透明な材質によって形成されており、観察基板（本実施の形態においては第１基板）側から隔壁１４の背面側である有色層１５を視認できるように構成されている。
【００４３】
帯電性粒子を含んだ粒子群を表示媒体として、気体中空間（真空中を含む）で駆動させる方式とする場合には、２枚の基板間の表示媒体を取り巻く空隙部分の気体の管理が重要であり、表示安定性向上に寄与する。具体的には、空隙部分の気体の湿度について、２５℃における相対湿度を６０％RH以下、好ましくは５０％RH以下とすることが重要である。
【００４４】
この空隙部分とは、セル内の空間部分であり、対向する２枚の基板に挟まれる部分から、電極、表示媒体の占有部分、隔壁の占有部分、基板間のシール部分を除いた、いわゆる表示媒体が接する気体部分を指すものとする。
【００４５】
空隙部分の気体は、先に述べた湿度領域であれば、その種類は問わないが、乾燥空気、乾燥窒素、乾燥アルゴン、乾燥ヘリウム、乾燥二酸化炭素、乾燥メタンなどが好適である。この気体は、その湿度が保持されるように基板間に封入することが必要であり、例えば、表示媒体の充填、パネルの組み立てなどを所定湿度環境下にて行い、さらに、外からの湿度侵入を防ぐ本発明に係るシール材、シール方法を施すことが肝要である。
【００４６】
各セルの大きさは、表示媒体とする粒子の平均粒子径が、１μｍ〜２０μｍ程度の場合、平面視にて長方形であれば、１辺の長さが５０μｍ〜１０００μｍ程度、好ましくは１００μｍ〜３００μｍ程度が望ましい。また、ハニカム（六角形）形状の場合は、向かい合う頂点の距離が１００μｍ〜１０００μｍ程度、好ましくは１００μｍ〜３００μｍ程度が好ましい。このような構成にすれば、セル内で移動（駆動）を繰り返した粒子が、凝集したり、偏在したりする不都合が発生しにくい。
【００４７】
また、セル２７を仕切るための隔壁１４の配置は格子状、ハニカム状、網目状などにすることができる。セルの横断面形状は、四角形、三角形、六角形、階段型八角形等の多角形や、円形、楕円形、レーストラック形等いずれでも良いし、複数の形状を組み合わせても良い。非表示部となる隔壁の占める割合を小さくできる点からは四角形、階段型八角形や六角形が好ましく、表示媒体を構成する粒子を移動（駆動）しやすくできる点からは曲線を有する形状が好ましい。この二つの点から角丸付きの四角形や角丸付きの六角形、角丸付きの階段型八角形が好ましく用いられる。非表示部となる隔壁１４の占める割合は、平面視にて情報表示領域の１０％程度であり、好ましくは１０％以下である。
【００４８】
なお、本実施の形態に係る支持部としての隔壁１４は、第１基板１１と第２基板１２との間を一定の間隔で保持する機能と、表示媒体１６が封入された情報表示領域を仕切る機能と、を有するが、本発明に係る支持部のうち第１基板１１と第２基板１２との間を、情報表示領域外で一定の間隔で保持する機能を発揮させるためのものは透明でなくてもよい。また、表示媒体１６が封入された情報表示領域を仕切る機能だけを発揮させるための隔壁１４には、第１基板１１と第２基板１２との間を一定の間隔で保持する機能がなくてもよく、基板間隔よりも低い高さの隔壁としてもよい。
【００４９】
隔壁１４の材料は、レジスト材が好適であり、液状レジスト材やドライフィルムレジスト材が用いられる。ドライフィルムレジスト材の一例として、アルフォＮＩＴ２（ニチゴーモートン社製）やＰＤＦ３００（新日鐵化学社製）を使用することができる。これらのレジスト材は露光硬化後に透明となるので好ましく用いられる。
【００５０】
本発明では、情報表示領域に配置する隔壁は、上記したレジスト材に顔料を配合せずにフォトリソグラフィーを実行して透明な隔壁を得る。情報表示領域以外に設ける隔壁は透明でなくてもよいので、必要に応じて所望の色の顔料を配合したレジスト材を用いて形成することができる。もちろん、必要な隔壁をすべて同じ透明レジスト材で形成してもよく、この場合には、すべての隔壁を同時に形成できるので効率の面でも好ましい。
【００５１】
接着層２０は、隔壁１４上に形成される。接着層２０の一面は、隔壁１４と接している。一面に対向する接着層２０の他面は、第２基板１２と接している。隔壁１４と接着層２０を介して第１基板１１と第２基板１２とが固定される。情報表示器１Ａにおいては、接着層２０は、第２基板１２側に形成されている。
【００５２】
接着層２０は、透明である。これによって、第２基板１２の外側に形成される有色層１５が、観察基板側から視た観測者に観測できる。接着剤としては、例えば、エポキシ系接着剤、アクリル系接着剤が用いられる。
【００５３】
（２−３）表示媒体の構成
各セルに封入される表示媒体は、例えば、帯電性粒子を含む粒子群によって構成することができる。帯電性粒子は、その主成分となる樹脂に、必要に応じて荷電制御材剤、着色剤、無機添加物等の粒子構成材料を含ませることができる。以下に、荷電制御材料、着色料、その他添加剤を例示する。
【００５４】
荷電制御材料としては、特に制限はないが、負荷電制御剤とすれば例えば、サリチル酸金属錯体、合金属アゾ染体、含金属（金属イオンや金属原子を含む）の油溶性染料、４級アンモニウム塩系化合物、カリックスアレン化合物、含ホウ酸化合物（ベンジル酸ホウ素錯体）、ニトロイミダゾール誘導体等が挙げられる。正荷電制御剤とすれば例えば、ニグロシン染料、トリフェニルメタン系化合物、４級アンモニウム塩系化合物、ポリアミン樹脂、イミダゾール誘導体が挙げられる。その他、超微粒子シリカ、超微粒子酸化チタン、超微粒子アルミナ等の金属酸化物、ピリジン等の含窒素環状化合物及びその誘導体や塩、各種有機顔料、フッ素、塩素、窒素等を含んだ樹脂等も荷電制御剤として用いることもできる。
【００５５】
着色剤としては、以下に例示するような、有機または無機の各種、各色の顔料、染料が使用可能である。黒色着色剤としては、カーボンブラック、酸化銅、二酸化マンガン、アニリンブラック、活性炭等がある。
【００５６】
青色着色剤としては、Ｃ．Ｉ．ピグメントブルー１５：３、Ｃ．Ｉ．ピグメントブルー１５、紺青、コバルトブルー、アルカリブルーレーキ、ビクトリアブルーレーキ、フタロシアニンブルー、無金属フタロシアニンブルー、フタロシアニンブルー部分塩素化物、ファーストスカイブルー、インダンスレンブルーＢＣ等がある。
【００５７】
赤色着色剤としては、ベンガラ、カドミウムレッド、鉛丹、硫化水銀、カドミウム、パーマネントレッド４Ｒ、リソールレッド、ピラゾロンレッド、ウォッチングレッド、カルシウム塩、レーキレッドＤ、ブリリアントカーミン６Ｂ、エオシンレーキ、ローダミンレーキＢ、アリザリンレーキ、ブリリアントカーミン３Ｂ、Ｃ．Ｉ．ピグメントレッド２等がある。
【００５８】
黄色着色剤としては、黄鉛、亜鉛黄、カドミウムイエロー、黄色酸化鉄、ミネラルファーストイエロー、ニッケルチタンイエロー、ネーブルイエロー、ナフトールイエローＳ、ハンザイエローＧ、ハンザイエロー１０Ｇ、ベンジジンイエローＧ、ベンジジンイエローＧＲ、キノリンイエローレーキ、パーマネントイエローＮＣＧ、タートラジンレーキ、Ｃ．Ｉ．ピグメントイエロー１２等がある。
【００５９】
緑色着色剤としては、クロムグリーン、酸化クロム、ピグメントグリーンＢ、Ｃ．Ｉ．ピグメントグリーン７、マラカイトグリーンレーキ、ファイナルイエローグリーンＧ等がある。
【００６０】
橙色着色剤としては、赤色黄鉛、モリブデンオレンジ、パーマネントオレンジＧＴＲ、ピラゾロンオレンジ、バルカンオレンジ、インダンスレンブリリアントオレンジＲＫ、ベンジジンオレンジＧ、インダンスレンブリリアントオレンジＧＫ、Ｃ．Ｉ．ピグメントオレンジ３１等がある。
【００６１】
紫色着色剤としては、マンガン紫、ファーストバイオレットＢ、メチルバイオレットレーキ等がある。
【００６２】
白色着色剤としては、亜鉛華、酸化チタン、アンチモン白、硫化亜鉛等がある。
【００６３】
体質顔料としては、バライト粉、炭酸バリウム、クレー、シリカ、ホワイトカーボン、タルク、アルミナホワイト等がある。また、塩基性、酸性、分散、直接染料等の各種染料として、ニグロシン、メチレンブルー、ローズベンガル、キノリンイエロー、ウルトラマリンブルー等がある。
【００６４】
無機系添加剤の例としては、酸化チタン、亜鉛華、硫化亜鉛、酸化アンチモン、炭酸カルシウム、鉛白、タルク、シリカ、ケイ酸カルシウム、アルミナホワイト、カドミウムイエロー、カドミウムレッド、カドミウムオレンジ、チタンイエロー、紺青、群青、コバルトブルー、コバルトグリーン、コバルトバイオレット、酸化鉄、カーボンブラック、マンガンフェライトブラック、コバルトフェライトブラック、銅粉、アルミニウム粉などが挙げられる。
これらの顔料および無機系添加剤は、単独であるいは複数組み合わせて用いることができる。
【００６５】
これらの顔料および無機系添加剤は、単独であるいは複数組み合わせて用いることができる。このうち特に黒色顔料としてカーボンブラックが、白色顔料として酸化チタンが好ましい。上記着色剤を配合して所望の色の帯電性粒子を作製できる。
【００６６】
また、表示媒体を構成する帯電性粒子(以下、粒子ともいう)は平均粒子径d(0.5)が、１μｍ〜２０μｍの範囲であり、均一で揃っていることが好ましい。平均粒子径d(0.5)がこの範囲より大きいと表示上の鮮明さに欠け、この範囲より小さいと粒子同士の凝集力が大きくなりすぎるために表示媒体としての駆動に支障をきたすようになる。
【００６７】
さらに、表示媒体を構成する帯電性粒子の粒子径分布に関して、下記式に示される粒子径分布Spanを５未満、好ましくは３未満とする。
Span＝(d(0.9)−d(0.1))／d(0.5)
(但し、d(0.5)は粒子の５０％がこれより大き＜、５０％がこれより小さいという粒子径をμｍで表した数値、d(0.1)はこれ以下の粒子の比率が１０％である粒子径をμｍで表した数値、d(0.9)はこれ以下の粒子が９０％である粒子径をμｍで表した数値である。)。Spanを５以下の範囲に納めることにより、表示媒体を構成する粒子のサイズが揃い、均一な表示媒体としての駆動が可能となる。
【００６８】
さらにまた、複数の粒子群を表示媒体として使用する場合には、使用した粒子群の帯電性粒子の内、最大の平均粒子径d(0.5)を示す帯電性粒子のd(0.5)に対する、最小の平均粒子径d(0.5)を示す帯電性粒子のd(0.5)の比をｌ０以下とすることが肝要である。たとえ粒子径分布Spanを小さくしたとしても、互いに電気特性の異なる粒子群が互いに反対方向に動くので、互いの粒子サイズが近い方が容易に駆動できるようになるので好適であり、それがこの範囲となる。
【００６９】
なお、上記の粒子径分布および粒子径は、レーザー回折／散乱法などから求めることができる。測定対象となる粒子にレーザー光を照射すると空間的に回折／散乱光の光強度分布パターンが生じ、この光強度パターンは粒子径と対応関係があることから、粒子径および粒子径分布が測定できる。ここで、粒子径および粒子径分布は、体積基準分布から得られたものである。具体的には、Mastersizer２000(Malvern lnstruments Ltd.)測定植を用いて、窒素気流中に粒子群を投入し、付属の解析ソフト(Mie理論を用いた体積基準分布を基本としたソフト)にて、粒子径および粒子径分布の測定を行うことができる。
【００７０】
各セルに黒色表示媒体１６Ｂとして封入される黒色粒子は、例えば、以下の方法による得ることができる。メチルメタクリレートモノマー（関東化学試薬）６０重量部、及び、１分子中に重合反応基を複数持つ多官能性モノマーとしてエチレングリコールジメタクリレート（和光純薬試薬）４０重量部（約２５ｍｏｌ％）に、正帯電の荷電制御剤としてニグロシン化合物（ボントロンＮ０７：オリエント化学製）３重量部、及び、黒色顔料として、カーボンブラック（スペシャルブラック：デグッサ製）５重量部をサンドミルにより分散させ、（アクリル系及びメタクリル系）樹脂−炭化水素系樹脂ブロックコポリマー（モディパーＦ６００：日本油脂製）５重量部を溶解させた後、さらに２重量部のラウリルパーオキサイド（パーロイルＬ：日本油脂製）を溶解させた液を、界面活性剤としてポリオキシエチレンアルキルエーテル硫酸ナトリウム（ラテムルＥ−１１８Ｂ：花王製）を０．５％添加した精製水に懸濁、重合させ、濾過、乾燥させた後、分級機（ＭＤＳ−２：日本ニューマチック工業）を用いることによって、平均粒子径９．２μｍの正帯電性黒色粒子を得ることができる。
【００７１】
また、白色表示媒体１６Ｗとしての白色粒子は、以下の方法で得ることができる。ポリメチルペンテンポリマー（TPX-R18；三井化学社製）１００重量部と、着色剤として二酸化チタン（タイペークCR-90：石原産業社製）１００重量部と、負帯電の荷電制御剤としてフェノール系縮合物（ボントロンＥ８９：オリエント化学製）５重量部とを２軸混練機により溶融混練し、ジェットミル（ラボジェットミルIDS-LJ型：日本ニューマチック（株）製）で細かく粉砕し、分級機（MDS-２：日本ニュ−マチック工業）を用いて分級し、溶融球状化装置（MR-10：日本ニュ−マチック工業）を用いて溶融球状化することによって、平均粒子径９．５μｍの負帯電性白色粒子を得ることができる。
【００７２】
このような帯電性粒子だけで構成した粒子群を表示媒体としたり、この帯電性粒子に微小粒子を付着させた構成の粒子群を表示媒体としたりする。帯電性粒子と微小粒子とのサイズの関係は、帯電性粒子の平均粒子径が１μｍ〜２０μｍの範囲であるのに対して、微小粒子の平均粒子径は１０ｎｍ〜５００ｎｍの範囲である。
【００７３】
（２−４）有色層の構成
有色層１５は、情報表示領域において、非観察基板（本実施形態の情報表示器１Ａでは第２基板１２）側に形成される。なお、有色層１５は、観察基板（第１基板１１）側から視て情報表示領域にある隔壁１４と対応する部分だけに形成されていても良いし、非観察基板（第２基板１２）の情報表示領域面全面に形成されていても良いし、非観察基板（第２基板１２）の全面に形成されていても良い。有色層１５を、第２基板１２の全面や情報表示領域に対応する部分に設けることにより、隔壁１４の位置に合わせて有色層を形成する場合に比べて、容易に形成でき、製造単価を安価にすることができる。なお、有色層１５が配置される非観察基板（本実施形態の情報表示器１Ａでは第２基板１２）側とは、第２基板１２の内側および外側であって、第２基板１２の面方向と直交する方向における第２基板１２の内側および外側である。第２基板１２の外側に有色層１５が配置される場合には、第２基板１２を透明にする。
【００７４】
なお、有色層１５と第２基板１２との間に他の層が形成されていても良いが、第１基板１１側から視て隔壁１４と対応する他の層部分は、透明であることを要する。有色層１５は、観察基板側から視て、隔壁１４と対応する部分から視認することができるように構成される。有色層として文字等を配置することにより、隔壁を介して文字等（有色層）の有色を視認させ、全体として絵柄や文字を視認させることができる。
【００７５】
有色層１５の色は、特に限定されないが、白色又は黒色であることが好ましい。有色層１５を白色とした場合は、従来のホワイトマトリックス層を使用した場合と同様の効果が得られる。有色層１５を黒色とした場合は、従来のブラックマトリックス層を使用した場合と同様の効果が得られる。他の色としては、例えば、青色、緑色を使用することも可能である。また、有色層１５は、１色で構成される必要はない。有色層１５は、複数の色を部分的に用いて形成されていても良い。第１基板１１、第２基板１２、導電膜１７、接着層２０及び隔壁１４は、透明であるため、観察基板側から視て、裏面基板の外側に形成された有色層１５を隔壁１４と対応する部分から視認することができる。
【００７６】
例えば、有色層１５を情報表示領域全面に対応する部分に配置し、その表面に絵柄１５Ａを配置することにより、隔壁１４及び表示媒体１６の隙間を介して有色層１５の絵柄１５Ａを視認することができる。図５は、絵柄１５Ａを付した有色層１５を設け、第１基板１１側から視認した情報表示器１の平面図を部分的に拡大して示した図である。表示媒体層１３のセルには、表示媒体１６（１６Ｗおよび１６Ｂ）が配置されているが、セルとセルとの間には透明な隔壁１４が存在し、その部分には表示媒体１６がないので、この透明な隔壁１４を介して絵柄１５Ａ（ここでは二重丸の形状に有色層１５を配置している）を視認することが可能となる。セルの内側領域に配置された絵柄部分は、セル内にある表示媒体１６によって隠蔽されるため見ることができないが、透明隔壁を介して見える部分を繋いだ絵柄として絵柄全体を認識することができる。
【００７７】
なお、有色層１５は、例えば、スクリーン印刷法、シートを貼り合わせる貼付法を用いて情報表示領域が透明な第２基板１２の背面側情報表示領域に形成される。有色層１５とする材料としては、印刷用のインク、複写機やプリンターで用いられるトナーを用いることができる。また、有色層１５は、黒色紙のような有色の紙や、黒色のポリエチレンテレフタレート（ＰＥＴ）シートのような有色シートを貼り合わせて形成することもできる。有色層１５は、観察基板と裏面基板とが固定された後に形成されても良いし、固定される前の裏面基板に形成しても良い。有色層１５として文字を設ける場合には、観察側から見るときのことを考えてネガ・ポジを決める。また、文字を見やすくするために、黒色で文字情報を形成した後、その上に重ねて情報表示領域全面に白色でベタの背景情報を形成したり、白色で文字情報を形成した後、その上に重ねて情報表示領域全面に黒色でベタの背景情報を形成したりすると、背景地に対して文字が際立つので好ましい。白いシートに黒色で文字を印刷し、その文字面を非観察基板の外側面に対面させて貼り合わせるようにすることもできる。
【００７８】
また、黒色の有色層とする場合に用いる黒色着色剤として、表面に非導電性処理を施したカーボンブラックを用いれば、有色層の導電性、絶縁性を調整できるので好ましい。白色の有色層とする場合に用いる白色着色剤として、酸化チタンを用いれば白色度の高いホワイトマトリックス効果が得られるので好ましい。明るいホワイトマトリックス効果を得るためには、マイカなどの光を反射する材料を顔料として用いることも有効である。
【００７９】
（２−５）散乱層の構成
散乱層１８は、第１基板１１の面方向と直交する方向における外側に形成されている。第１基板１１の外側とは、第２基板１２側とは反対側をいう。すなわち、第１基板１１の観察者に近い側である。散乱層１８は、光を散乱するように構成されていればよく、光を散乱すれば散乱方法は問わない。例えば、散乱層１８の表面（例えば、観察者側）に凹凸を有することにより、光を散乱しても良い。散乱層１８は、散乱層１８の屈折率と異なる屈折率を持つ粒子を散乱層１８内部に含むことにより、光を散乱しても良い。散乱層１８と粒子との屈折率との差による内部散乱により光が散乱される。両方の方法を組み合わせても良いし、別の方法により、散乱層を形成しても良い。
【００８０】
（３）駆動装置の概略構成
次いで、駆動装置３０について図２及び図６を参照して詳細に説明する。駆動装置３０は、ＴＦＴ基板３１を駆動装置基台３２上に形成して構成されている。ＴＦＴ基板３１は、ＴＦＴ回路用基板３６上に画素電極３４を形成して構成されている。図６は、ＴＦＴ基板３１を示しており、（ａ）は平面図であり、（ｂ）は断面図である。なお、説明の便宜上、図６（ａ）に示す平面図と（ｂ）に示す断面図とは、必ずしも構成を一致させていない。ＴＦＴ基板３１の構成は、図６に示す例に限定されるものではなく、従来、ＴＦＴ基板として公知の種々の構成を用いることができる。
【００８１】
駆動装置３０のＴＦＴ基板３１は、アクティブ・マトリックス方式のＴＦＴ回路３７と、各ＴＦＴ回路３７に接続した画素電極３４を設けて構成されたＴＦＴ回路用基板３６から形成している。ＴＦＴ回路３７は、マトリックス状に配置された画素電極３４に対応して設けられた半導体層３８に対し、ゲート電極３９とソース電極４０とを直交して設けるとともに、ドレイン電極４１を設けて構成されている。ドレイン電極４１は、各々別々に画素電極３４と接続される。ＴＦＴ回路３７のスイッチング機能により、画素電極３４に対する電圧の印加、非印加を制御している。
【００８２】
（４）情報表示システムの情報表示原理
次いで、このように構成された情報表示器１と駆動装置３０とを用いた情報表示システムの情報表示原理を説明する。図７は、情報表示器１を駆動装置３０上に配置した状態を示した拡大断面図であり、図８は、情報表示器１Ａと画素電極３４との関係の一例を示した模式断面図であり、情報表示器１Ａに情報を表示する方法を説明するための図である。
【００８３】
この情報表示システムの特徴は、駆動装置３０のＴＦＴ基板３１の表面と、情報表示器１Ａの第２基板１２とを対面対向配置させて情報を書き換えて表示する点にある。なお、第２基板１２とＴＦＴ基板３１とは、対面対向配置させればよく、接していても離れていてもよいが、接している方が好ましい。また、できるだけ全面が接することが好ましい。更に、第２基板１２とＴＦＴ基板３１とは、必ずしも密着していなくてもよいが、もちろん密着させてもよい。第２基板１２とＴＦＴ基板３１とがあまりにも離れていると、表示媒体１６を駆動させるために大きな電界が必要となる不具合があるので、できる限り近づけることが望ましい。
【００８４】
情報を書き換え、表示する際の一例としては、図７に示すように、第２基板１２と駆動装置３０のＴＦＴ基板３１とを対面対向させて配置する。そして、ＴＦＴ基板３１の全ての画素電極３４と情報表示器１の導電膜１７との間に電圧を印加して形成した電界によって、すべての表示媒体１６を駆動させる。このようにして、情報表示器１の情報表示全体を黒色又は白色の表示とする消去工程を行う。図８（ａ）は、消去工程をして、白地表示にした状態である。
【００８５】
次に、表示させたい情報に応じて、駆動装置３０のＴＦＴ基板３１の各ＴＦＴ回路を制御して、駆動装置３０のＴＦＴ基板３１の画素電極３４と情報表示器１の導電膜１７とで構成された画素電極対ごとに印加する電圧を制御して画素電極対ごとに異なる電界を形成する。このようにして、図８（ｂ）に示すように、画素電極３４と導電膜１７との間に形成する電界を制御することにより、情報表示器１の第１基板１１又は第２基板１２に情報を表示することができる。画素電極３４に対応した位置にある粒子（表示媒体）を駆動させて、白地に黒表示させたり、黒地に白表示させたりすることができる。図８（ａ）、（ｂ）に示すように、画素電極３４のサイズと粒子（表示媒体）を収納しているセルのサイズとは異なっていてもよい。書換え駆動させた画素電極３４に対応した位置にある表示媒体だけを駆動させて、表示したい情報を表示することができる。
【００８６】
その後、駆動装置３０のＴＦＴ基板３１から情報表示器１を取り外すとともに駆動装置３０との接続を切っても、情報表示器１に表示された情報は、そのメモリー性により、そのまま消えることなく維持されるので、情報表示器１の観察基板側から観察することによって表示された情報を見ることができる。
【００８７】
（５）変形例
次いで、変形例に係る情報表示器について説明する。なお、以下の変形例の説明においては、実施の形態１における情報表示器１Ａとの相違点について主に説明する。
【００８８】
図９は、変形例１に係る情報表示器１Ｂの断面図である。実施の形態に係る情報表示器１Ａは、第２基板１２を透明な材質によって構成し、第２基板１２の外側に有色層を配置しているが、変形例１に係る情報表示器１Ｂは、第２基板１２を有色の材質によって構成して、有色層を第２基板１２側に配置している。すなわち、第２基板１２に加えて有色層を設けるのではなく、第２基板が有色層を兼ねている。なお、第２基板は、全面を有色層としてもよいし、情報表示領域のみを有色層としてもよい。
【００８９】
図１０は、変形例２に係る情報表示器１Ｃを示した図である。変形例２に係る情報表示器１Ｃは、第２基板１２を視認面としている。そして、面方向に導通する第１基板１１の外側には、有色層１５が配置されている。情報の書き換えを行う際は、第２基板１２の外側面をＴＦＴ基板と対面対向させて配置することにより、第１基板の導電膜１７と駆動装置３０の画素電極３４との間に形成する電界によって表示媒体を駆動して情報を表示する。なお、変形例２に係る情報表示器１Ｃにおいて、第１基板自体を有色の材質により形成し、有色層を加えて設けないように構成してもよい。また、第２基板１２の外側に散乱層を設けてもよい。
【００９０】
図１１は、変形例３に係る情報表示器１Ｄを示した図である。変形例３に係る情報表示器１Ｄは、第２基板１２が観察基板となる。また、第１基板１１の導電膜１７は、有色であり、有色層を兼ねている。有色の導電膜１７は、有色の材料によって形成されていてもよいし、有色のコート層を表面に設けることによって形成してもよい。このような構成によれば、第２基板側から、第２基板１２、隔壁１４及び接着層２０を介して有色の導電膜１７を視認することができる。
【００９１】
図１２は、変形例４に係る情報表示器１Ｅを示した図である。変形例４に係る情報表示器１Ｅは、第２基板１２が観察基板となる。第１基板１１は、導電性を有し、かつ有色である。すなわち、第１基板１１は、導電膜と有色層を兼ねている。第１基板１１の外側には、絶縁膜２１が形成されている。このような構成によれば、第２基板側から、第２基板１２、隔壁１４及び接着層２０を介して有色の第１基板１１を視認することができる。
【００９２】
絶縁膜における絶縁性は、表面抵抗率で、１．０×１０８Ω／ｓｑ〜１．０×１０１６Ω／ｓｑである。表面抵抗率が、１．０×１０８Ω／ｓｑ未満であると十分な絶縁性が得られない。表面抵抗率が、１．０×１０８Ω／ｓｑ未満であると、情報表示器１を駆動装置３０に装着して表示画像を書換える際に感電したり、また、漏電したりするおそれがある。また、絶縁膜の膜厚は、１００ｎｍ〜５μｍとする。
【００９３】
なお、絶縁膜の材料としては、特に制限されないが、ウレタン樹脂、アクリル樹脂、ポリエステル樹脂、ウレタン変性アクリル樹脂、シリコーン樹脂、ナイロン樹脂、エポキシ樹脂、スチレン樹脂、ブチラール樹脂、塩化ビニリデン樹脂、メラミン樹脂、フェノール樹脂、フッ素樹脂などの樹脂が挙げられ、２種以上混合することもできる。特に、黒色系の有色層や白色層を絶縁性膜材で構成とする場合には、着色剤の色を発現しやすい、ポリエステル樹脂、アクリルウレタン樹脂、アクリルウレタンシリコーン樹脂、アクリルウレタンフッ素樹脂、ウレタン樹脂、フッ素樹脂が好適である。これらの樹脂に荷電制御剤を添加して表面抵抗率を調整することもできる。膜の形成方法としては、ディッピング法、スプレー法、ロールコーター法、刷毛塗り法等いずれの方法を用いてもよい。また、膜を形成する代わりに、上記絶縁性材料のフィルムを貼り合せてもよい。
【００９４】
図１３は、変形例５に係る情報表示器１Ｆを示した図である。（ａ）は要部断面図であり、（ｂ）は、要部平面図である。変形例５に係る情報表示器１Ｆは、面方向に導通しない第２基板が透明な材質によって形成されており、第２基板が観察基板となる。導電膜１７及び第１基板１１は、透明な材質によって形成されており、第１基板の外側には、有色層として機能する有色部２２および白色層２３が形成されている。白色層２３は、情報表示領域に対応する第１基板１１に設けられており、有色部２２は、白色層２３の上に形成されている。例えば、白色シートを白色層２３としその上に黒色インクで印刷した図形情報（例えば二重丸）として有色部２２を形成する。このように有色部２２を配置することにより、図１３（ｂ）に示すように、隔壁１４に対応する部分の有色部２２を視認させて、有色部２２全体で形成する二重丸の図形を観察側から認識することができる。有色部２２が見えるのは隔壁１４に対応する部分だけであるが、セルの大きさよりも太い幅の有色部としておくことで、有色部２２全体で形成する表示情報（不揮発情報）を認識できる。例えば、文字やマーク、記号、絵柄といった情報を、不揮発情報として非観察基板側に備え、観察基板側から視認することができる。
【００９５】
図１４は、変形例６に係る情報表示器１Ｇを示した図である。（ａ）は要部断面図であり、（ｂ）は、要部平面図である。変形例６に係る情報表示器は、面方向に導通しない第２基板１２が透明な材質によって形成されており、第２基板１２が観察基板となる。導電膜１７及び第１基板１１は、透明な材質によって形成されており、第１基板１１の外側には、有色層として機能する有色部２２および白色層２３が形成されている。有色層として機能する有色部２２および白色層２３は、少なくとも情報表示領域に対応する第１基板に設けられている。
【００９６】
有色部２２は、全ての隔壁１４に対応しておらず、選択された隔壁１４に対応する部分のみに形成されている。したがって、第２基板側から視認すると、有色部２２が配置された領域のみ色が付されており、有色部２２が配置されていない隔壁１４に対応する領域は白色層２３の白色が付されている。よって、一部の隔壁１４に対応する部分のみを強調する等、種々の視覚的効果を発揮することができる。ここでは、４個のセルを黒色の有色部２２で囲んだ構成のブラックマトリックスとしている。白色シートに、黒色の有色部２２をマトリックス状に印刷し、その印刷面を第１基板１１の外側に対面させて黒色の有色部２２と隔壁１４の位置合せを行って貼り合わせることで図１３に示した情報表示器が得られる。
【００９７】
図１５は、変形例７に係る情報表示器１Ｈを示した図である。変形例７に係る情報表示器１Ｈは、平面視にて六角形セルがハニカム配置された構造となるように隔壁１４を形成している。なお、有色層は、情報表示領域に黒色で一重丸の図形として配置している。観察者は、視認面から見ることによって、セルとセルとの間にある隔壁１４を介して、隔壁の下にある有色層の一部分を視認して絵柄１５Ａ（一重丸の図形）を認識することができる。
【００９８】
（６）その他の実施形態
本実施の形態に係る情報表示器は、非観察基板と隔壁１４との間に接着層２０を配置しているが、観察基板と隔壁１４との間に接着層２０を設けてもよい。また、本実施の形態に係る情報表示器は、第１基板１１又は第２基板１２と隔壁１４との間に接着層を設けているが、本発明に係る情報表示器は接着層を設けなくてもよい。更に、実施の形態に係る情報表示器は散乱層１８を備えているが、本発明に係る情報表示器は散乱層を備えていなくてもよい。
【００９９】
更に、本発明に係る情報表示器は、接着層を有色層として構成してもよい。すなわち、接着層を有色の接着剤によって構成し、この接着層を、隔壁を介して視認できるように構成してもよい。
【０１００】
また、本発明に係る情報表示器は、面方向に導通しない第２基板１２の外側に、帯電防止層を設けてもよい。帯電防止層は、表面抵抗率が１．０×１０５Ω／ｓｑ〜１．０×１０１２Ω／ｓｑであることが望ましい。帯電防止層はとしては、ポリチオフェン、例えば、ＰＥＤＯＴ−ＰＳＳ（Poly(3,4-ethylenedioxythiophene)／Poly(styrene sulfonate)）の様な透明な導電性高分子を塗布した後の透明な膜や、ＩＴＯやＳｎＯ２などの透明導電性酸化物の粒子を樹脂バインダーに分散して構成した透明膜などがある。なお、第２基板１２が観察基板となる場合には、透明な帯電防止層を設ける。第２基板１２が観察側とならない場合には、帯電防止層は透明でなくてもよい。
【０１０１】
表面抵抗率が１．０×１０５Ω／ｓｑ〜１．０×１０１２Ω／ｓｑである帯電防止層としての膜は、情報表示器の第２基板の全てを被覆したり、断続させて面方向の導通性をより少なくしたりするように配置する。表面抵抗率が１．０×１０５Ω／ｓｑより小さいと、言い換えれば導電性が高いと、第２基板全体が絶縁性基板でなくなってしまう不都合がある。また、表面抵抗率が、１．０×１０１２Ω／ｓｑを超えると、帯電防止機能を得られない不都合がある。
【０１０２】
なお、表面抵抗率は、二重リング法と呼ばれる方式で測定した。二重リング法では、二重リング電極（内極φ１６ｍｍ、外極内径φ３０ｍｍ、外極外径φ４０ｍｍ）を用い、５Ｎ負荷、印加電圧１０Ｖで測定した。測定器としては、シシド静電気製「Megaresta Model HT-301」表面抵抗計を用いた。
【０１０３】
また、本実施の形態におけるＴＦＴ基板３１は、画素電極３４が露出するように構成されているが、画素電極３４の上に表面抵抗率１．０×１０５Ω／ｓｑ以上の膜を保護層として設けることができる。この保護層は、絶縁膜とするため１．０×１０５Ω／ｓｑ以上の表面抵抗率を有する必要がある。
【０１０４】
更に、駆動装置３０の画素電極３４と対向する絶縁性の第２基板内面に、ドット電極を設けてもよい。ドット電極を設けることにより、情報を表示させた後の表示媒体を絶縁性の第２基板側に良好に保持でき、表示させた情報を良好に維持することができる。なお、ドット電極は、情報表示器の平面視においてドット状に配置し、面方向に導通しない構成とする。面方向に導通しないことにより、表示書き換えを行う際の電界に妨げとなることはない。
【０１０５】
表示媒体１６は、白色表示媒体１６Ｗ及び黒色表示媒体１６Ｂに限られず、他色の表示媒体１６を用いてもよい。また、表示媒体は、電界で駆動し、電源と遮断しても表示した情報が保持できる表示メモリー性があるものであればよい。
【０１０６】
帯電性粒子を含んだ粒子群を気体中で駆動させるもののほかに、他の構成を例示することができる。例えば、図１６に示す変形例８に係る情報表示器１Ｊのように、帯電性粒子を含んだ粒子群を絶縁液体５１中で駆動させるもの（マイクロカプセル型の電気泳動方式が知られている）であってもよい。図１６に示す例では、表示媒体層に、帯電性粒子を含んだ粒子群（正帯電性黒色粒子を含んだ粒子群として構成した黒色表示媒体１６Ｂ及び負帯電性白色粒子を含んだ粒子群として構成した白色表示媒体１６Ｗ）を透明な絶縁液体５１と共に封入したマイクロカプセル５２を配置している。この情報表示器においても、導電膜１７と画素電極３４との間に電圧を印加することにより、基板間に電界を付与して表示媒体１６を駆動させることができる。（ｂ）は、画素電極３４に対応して、表示媒体が駆動した状態を示している。図１６（ａ）、（ｂ）に示すように、画素電極３４のサイズと粒子（表示媒体）を収納しているマイクロカプセルのサイズとは異なっていてもよい。書換え駆動させた画素電極３４に対応した位置にある表示媒体だけを駆動させて、表示したい情報を表示することができる。
【０１０７】
また、図１７に示す変形例９に係る情報表示器１Ｋのように、帯電粒子を含んだ粒子群として構成した１種類の表示媒体（白色表示媒体１６Ｗ）を有色絶縁液体５３とともに隔壁で形成したセル内に封入した情報表示器を例示することができる。この情報表示器においても、導電膜１７と画素電極３４との間に電圧を印加することにより、基板間に電界を付与して表示媒体を駆動させることができる。（ｂ）は、画素電極３４に対応して、表示媒体１６が駆動した状態を示している。図１７（ａ）、（ｂ）に示すように、画素電極３４のサイズと粒子（表示媒体）を収納しているセルのサイズとは異なっていてもよい。書換え駆動させた画素電極３４に対応した位置にある表示媒体だけを駆動させて、表示したい情報を表示することができる。
【０１０８】
更に、半分ずつ２色かつ異なる帯電極性に構成した球状粒子をマイクロカプセル内で回転駆動させるもの（ツイストボール方式）やコレステリック液晶を駆動させるものが、表示メモリー性を有する表示媒体として挙げられる。このうち、帯電性粒子を含んだ粒子群を気体中で駆動させる方式が、駆動応答速度が速く、表示メモリー性にも優れており好ましく採用される。
【０１０９】
（７）作用・効果
本発明の情報表示システムは、薄型で軽量な情報表示器とともに、コンパクトな駆動装置を提供する。情報表示器を駆動装置のＴＦＴ基板に対面対向させるとともに、駆動装置３０と情報表示器１とを電気的に接続した後、駆動装置３０を作動させることにより情報表示器１に表示したい情報を表示することができる。そして、情報表示器１に情報を表示した状態で、駆動装置３０から情報表示器１を取り外して持ち歩くような使い方も可能にするものである。
【０１１０】
更に、本発明の情報表示システムは、コンパクトな駆動装置と、薄型で軽量な情報表示器１とで構成するため、情報表示システム全体を携帯することが可能となる。したがって、情報表示器を、リサイクルメモ用紙、リサイクルノート、リサイクル宣伝カード、会議の配布資料等の用途にリサイクルペーパーとして好適に使用することができる。
【０１１１】
また、情報表示器１の第１基板１１と第２基板１２との間に配置される隔壁１４を透明な材質によって構成し、かつ隔壁１４の非観察基板側に有色層１５が設けられているため、観察基板側から見た観察者は、隔壁１４を介して有色層１５を視認することができる。有色層１５として文字や絵柄等を設けることにより、有色層１５の絵柄等を透かし絵のように見せることができる。
【０１１２】
また、隔壁１４を例えば格子状に設け、有色層１５を情報表示領域の全面に、黒色層又は白色層として配置することにより、観察基板側から視た観察者は、格子状に有色層１５の色（黒色又は白色）を視認することができる。すなわち、各セルの周囲が有色層１５の色に視認される。例えば、有色層１５に黒色を付することによりブラックマトリックス効果を得ることができ、有色層１５に白色を付することによりホワイトマトリックス効果を得ることができる。これによって、各セルの表示と、境界部分とのコントラスト比が大きくなり、画像視認性を向上させることができる。
【０１１３】
また、非観察基板の少なくとも情報表示領域を透明にすることで、非観察基板の外側に形成した有色層１５を視認することができる。特に、文字や図形、絵柄といった複雑な形状の有色層を形成する場合には、表示媒体を２枚の基板間に封入したパネル構造体を作製した後、非観察基板の外側に有色層１５を形成すればよいので容易に不揮発性情報としての有色層１５を備えた情報表示器が得られる。この作製法によれば、同じパネル構造体を用いて、不揮発性情報だけが異なる情報表示器を作製できるので、例えば、不揮発性情報Ｘが印刷されたシートを粘着剤で貼り付けた情報表示器として使用した後、その不揮発性情報Ｘが印刷されたシートを剥がして、今度は、不揮発性情報Ｙが印刷されたシートを粘着剤で貼り付けた情報表示器として使用することもできる。
【０１１４】
また、観察基板側から視て隔壁１４と重なる領域（隔壁に対応する部分）のみに有色層１５を配置することで観察者に隔壁１４を介して有色層１５を視認させることができる。そして、隔壁１４に対応する部分のみ有色層１５を設ける場合においては、非観察基板の全面に形成する場合と比較して、有色層１５の使用量を少なくすることができる。このため、材料費を安価にすることができる。
【０１１５】
また、観察基板側から見て、透明な支持部材１４（隔壁１４）の裏側に配置する有色層１５を非観察基板側に形成する場合、非観察基板全体、すなわち情報表示領域を含む領域全面を有色層１５としても、観察者が透明な支持部材１４（隔壁１４）を介して有色層１５を視認した際に、表示媒体層１３に配置された表示媒体１６同士の隙間から有色層１５を視認することができる。したがって、非観察基板自体を有色層としたり、非観察基板に設けた導電膜１７を有色層としたり、非観察基板に設けた表面コート層を有色層としたりすることができる。
【０１１６】
また、本発明に係る情報表示器は、接着層２０を有色層として構成してもよい。接着層を有色の接着剤によって構成し、この接着層を、支持部（隔壁１４）を介して視認できるように構成することにより、別途有色層を設ける必要がなくなり、部品点数を減少させ、製造コストを縮減することができる。この場合、有色層が形成する不揮発性情報は、支持部（隔壁１４）の配置パターンで決まるため、その配置パターンは表示させたい不揮発性情報に合わせる。ブラックマトリックスやホワイトマトリックスとする場合には、四角形セルや六角形セル、階段型八角形セルを形成するように隔壁を形成配置する。支持部１４の断面形状を、表示させたい不揮発性情報に合わせた形状とすることもできる。このように形成した透明な支持部１４に対応させて、上述した有色層の形成を実行することでも、観察基板側から、不揮発性情報を視認することができる。
【０１１７】
また、情報表示器の基板のうち情報表示領域が透明な観察基板の外側には、光を散乱する散乱層が形成されている。例えば、２枚の基板をつなぐために支持部（隔壁１４）上に形成される接着層２０にムラが生じたり、接着層２０に気泡が入り込んだりした場合には、透明な支持部材１４（隔壁１４）を介して接着層２０のムラや気泡が観察者に視認されるおそれがある。しかし、散乱層１８を形成することによって、接着層２０からの光は、散乱される。このため、観察者には、接着層２０のムラ等が明瞭に観察されることはなくなる。従って、接着層２０を、隔壁１４といずれの基板との間に配置しても、接着層２０に起因する表示品質の低下を抑制できる。
【０１１８】
また、散乱層を設けることにより、太陽光や室内照明からの反射光が散乱され、太陽光や室内照明からの反射光強度が低下する。このため、太陽や室内照明が画面に映り込むことを防止できる。これによって、観察者にとって、見やすい画面となり、画面視認性及び表示品質を向上できる。
【０１１９】
更に、観察基板に破損しやすい材料（例えば、ガラス）を用いた場合には情報表示器の使用中に観察基板が破損して、破損部分が飛散するおそれがある。しかし、散乱層１８を形成することにより、散乱層１８が飛散防止フィルムとして機能する。このため、観察基板の破片が観察者に飛散するのを抑制できるので、製品の安全性の向上を図ることができる。
【０１２０】
散乱層の表面に凹凸を有することにより、光を散乱するように構成してもよい。このような構成によって散乱層を構成することにより、光散乱の方向を制御して、より好ましい散乱状態を得るようにすることができる。このような凹凸としてプリズムのような三角形を規則的に配置した山谷形状が挙げられる。三角形の角度を調整して所望の散乱光が得られる。
【０１２１】
また、散乱層は、散乱層の屈折率と異なる屈折率を持つ粒子を散乱層内部に含むことにより、光を散乱する構成してもよい。このような構成によって散乱層の屈折率と粒子の屈折率との差を調整することにより、光散乱の方向を制御して、より好ましい散乱状態を得るようにすることができる。
【０１２２】
また、本発明に係る情報表示器は、第１基板１１の厚さよりも、第２基板１２の厚さの方が薄く形成されている。情報表示器の第１基板１１の導電膜１７と、駆動装置３０の画素電極３４とで構成された対向電極対の間に、第２基板１２が配置された状態で表示媒体１６が駆動されるので、第２基板１２の厚みはできるだけ薄い方が望ましい。具体的には、第２基板１２の厚みが１００μｍを超えると、電極対間に形成される電界で表示媒体が駆動し難くなる不都合があり好ましくない。一方、第１基板の厚みが２５μｍ未満であると、情報表示器作製時のハンドリングが容易でなくなる不都合が生じることがある。
【０１２３】
しかるに、第１基板１１の厚さも、第２基板１２の厚さと同じに薄くしてしまうと情報表示器自体がフレキシブルになり過ぎ、自立性が不十分になるため、例えば、情報表示器を片手で持った場合に撓ってしまい表示させた情報が見難くなるおそれがある。したがって、情報表示器に自立性を持たせるため第１基板１１の厚さをある程度厚くすることが好ましい。
【０１２４】
また、情報表示器の第２基板の外側には、表面抵抗が１．０×１０５Ω／ｓｑ〜１．０×１０１２Ω／ｓｑである膜が形成されている。帯電防止層を構成する膜を設けることにより、情報を表示させた後、情報表示器に電気的外乱が加わった場合であっても、その外乱の影響をなくし、表示させた情報を好適に維持することができる。
【０１２５】
第１基板は、絶縁体材料基板と、この絶縁体材料基板の内側に配置された導電膜と、を含んでおり、導電膜は、少なくとも情報表示領域と対応する部分に形成されている。このように構成された第１基板を有する情報表示器と駆動装置とを用いて、導電膜と画素電極との間に形成された電界によって表示媒体を駆動（移動）し、情報を表示することができる。
【０１２６】
また、変形例に係る第１基板は、導電性材料基板と、この導電性材料基板の外側に配置された絶縁膜と、を含んで構成されている。このように構成された第１基板を有する情報表示器と駆動装置とを用いて、導電膜と画素電極との間に形成された電界によって表示媒体を駆動（移動）し、情報を表示することができる。第１基板１１の外側表面に絶縁膜を配置することにより、感電や漏電を防止することができる。
【０１２７】
駆動装置の画素電極の表面に表面抵抗率１．０×１０５Ω／ｓｑ以上の膜を設けることができる。このような保護層は、無くてもよいが、情報表示器を付け替える時などに、ＴＦＴ基板の画素電極３４を機械的に傷つけてしまうことを防いだり、万が一、ＴＦＴ基板の画素電極３４を傷つけてしまっても断線につながることを抑制したりすることができるので、保護層は設けることが望ましい。また、情報表示器を付け替える時に、導電性の異物などを挟んでしまった場合に、保護層がないとＴＦＴの画素電極３４間が電気的にショートしてしまい、表示に影響を与える可能性が考えられる。しかし、保護層を設けることにより、画素電極３４間のショートの発生を抑制することができる。
【０１２８】
このように、本発明は、ここでは記載していない様々な実施の形態などを含むことは勿論である。したがって、本発明の技術的範囲は、上述の説明から妥当な特許請求の範囲に係る発明特定事項によってのみ定められる。
【符号の説明】
【０１２９】
１,１Ａ〜１Ｋ…情報表示器、  １１…第１基板、  １２…第２基板、  １３…表示媒体層、  １４…隔壁（支持部）、  １５…有色層、  １５Ａ…絵柄、  １６…表示媒体、  １６Ｂ…黒色表示媒体、  １６Ｗ…白色表示媒体、  １７…導電膜、  １８…散乱層、  １９…接続端子部、  ２０…接着層、  ２１…絶縁層、  ２２…有色部、  ２３…白色層、  ２７・・・セル、  ３０…駆動装置、  ３１…ＴＦＴ基板、  ３２…駆動装置基台、  ３３…駆動回路、  ３４…画素電極、  ３５…接続端子部、  ３６…ＴＦＴ回路用基板、  ３７…ＴＦＴ回路、  ３８…半導体層、  ３９…ゲート電極、  ４０…ソース電極、  ４１…ドレイン電極、  ５１…絶縁液体、  ５２…マイクロカプセル
【図１】
2012113253.tif 000003
【図２】
2012113253.tif 000004
【図３】
2012113253.tif 000005
【図４】
2012113253.tif 000006
【図５】
2012113253.tif 000007
【図６】
2012113253.tif 000008
【図７】
2012113253.tif 000009
【図８】
2012113253.tif 000010
【図９】
2012113253.tif 000011
【図１０】
2012113253.tif 000012
【図１１】
2012113253.tif 000013
【図１２】
2012113253.tif 000014
【図１３】
2012113253.tif 000015
【図１４】
2012113253.tif 000016
【図１５】
2012113253.tif 000017
【図１６】
2012113253.tif 000018
【図１７】
2012113253.tif 000019